(57)【要約】【課題】絞り羽根の大きさを小さくでき、駆動アームの長さを小さくできて、絞り装置全体として大きくならない光量調整装置を提供すること。くなる。【解決手段】短い駆動ストロークの絞り羽根と、長い駆動ストロークの絞り羽根と、前記絞り羽根を往復動作させる駆動アームと、を有し、短い駆動ストロークの絞り羽根は、駆動アーム上に設けられた駆動ピン部と係合し、開位置から閉位置まで駆動され、 長い駆動ストロークの絞り羽根は、短い駆動ストロークの絞り羽根の移動量を、拡大して駆動させるリンク部材の動作に連動して、 開位置から閉位置まで駆動されることを特徴とする。【選択図】図１
2016157035.tif 000002
【特許請求の範囲】
【請求項１】
全駆動ストロークが短い絞り羽根と、
全駆動ストロークが長い絞り羽根と、
前記の全駆動ストロークが短い絞り羽根を往復動作させる駆動アームと、
前記の全駆動ストロークが長い絞り羽根を往復動作させるリンク部材と、
を有し、
短い駆動ストロークの絞り羽根は、駆動アーム上に設けられた駆動ピン部と係合し、
駆動アームの動作によって、絞り開位置から絞り閉位置まで駆動され、
長い駆動ストロークの絞り羽根は、短い駆動ストロークの絞り羽根の移動量を、
拡大するリンク部材の動作によって、絞り開位置から絞り閉位置まで駆動される
ことを特徴とする光量調整装置（絞り装置）。
【発明の詳細な説明】
【技術分野】
【０００１】
本発明は、カメラやビデオカメラに用いられる光量調整装置、所謂、絞り装置に関する。
【背景技術】
【０００２】
従来より、複数枚の絞り羽根をアクチュエータで駆動し、光が透過する開口の大きさを可変する方式の光量調整装置は、種々知られている。特に、３枚以上の絞り羽根で、５角形以上の多角形形状の開口を形成するものが、種々、提案されている（例えば、特許文献１、２参照）。
【０００３】
この従来例では、１個のアクチュエータで駆動アームを往復回転駆動し、この駆動アームを介して、３枚の絞り羽根を、開放〜閉じ切りまでの開口を形成する構成となっている。
【先行技術文献】
【特許文献】
【０００４】
【特許文献１】特公平６−３５２０号公報
【特許文献２】特許第２６０７７０３号明細書
【発明の概要】
【発明が解決しようとする課題】
【０００５】
しかしながら、上記従来例では、絞り開口の開放状態（オープン状態）から閉じ切り状態（クローズ状態）までの絞り羽根の移動量が、各絞り羽根によって異なる。中でも、移動量が大きい絞り羽根を駆動する場合に、
・絞り羽根の大きさが大きくなる。
・駆動アームの長さが長く大きくなる。
・結果的に、絞り装置全体として、大きくなる。
等ということがあった。
本発明の目的は、絞り羽根の大きさを小さくでき、駆動アームの長さを小さくできて、絞り装置全体として大きくならない光量調整装置を提供することを目的とする。
【課題を解決するための手段】
【０００６】
上記の目的を達成するために、本発明の光量調整装置（絞り装置）は、
短い駆動ストロークの絞り羽根２個と、長い駆動ストロークの絞り羽根２個と、
前記短い駆動の絞り羽根の動きを前記長い駆動ストロークの絞り羽根に伝達する連動絞り羽根２個と、絞り羽根を往復動作させる駆動アームとから成り、
短い駆動ストロークの絞り羽根２個は、それぞれ、駆動アームに設けられた駆動ピン部２か所と係合し、絞り開放位置から、絞り閉じ切り位置まで駆動されることを特徴とする。 
連動絞り羽根は、短い駆動ストロークの絞り羽根の動きを、長い駆動ストロークの絞り羽根に、拡大して伝達するリンク部材として働くので、絞り開口形状は、丸形状(開放)→六角形(中間絞り)→閉じ切りへと変化させることができる。
【発明の効果】
【０００７】
本発明の光量調整装置によれば、長い駆動ストロークの絞り羽根は、短い駆動ストロークの絞り羽根の移動量を、拡大して駆動させるリンク部材の動作によって、開位置から閉位置まで駆動されるので、大きくならない。リンク部材は、撮影光学系の光軸方向から見て、ほぼ、光量調整装置（絞り装置）の投影面積内に収まるので、装置としても、大きくならない。
【図面の簡単な説明】
【０００８】
【図１】本発明の斜視図(分解図)
【図２】本発明の正面図/側面図（光軸方向から見た図/光軸直交方向から見た図）
【図３】本発明の正面図（絞りオープン状態から、絞りクローズ状態までの図）
【発明を実施するための形態】
【０００９】
以下、本発明を実施するための形態を図面に基づいて説明する。  
＜実施例の実施形態＞
図１と図２に、本発明の実施形態を示す。図１は本発明の斜視図であり、各構成部品を分解図示した状態の図である。図２は本発明の正面図/側面図であり、光軸方向から見た図/光軸直交方向から見た図である。図３は本発明の絞り装置の絞りオープン状態からクローズ状態までの各状態図である。
【００１０】
図において、１は羽根A、２は羽根B、３は羽根C、４は羽根D、５は羽根E、６は羽根Fである。７は駆動アーム、８はベース板、９は押え板である。ベース板８は、本絞り装置のベースとなる構造部材であり、小判型穴８fと、丸形の開口８eと、長溝部８a/８b/８c/８dを、有している。
【００１１】
駆動アーム７は、不図示のアクチュエータ（駆動源）によって駆動軸P回りに回転往復動作し、各羽根を動かす部材であり、２箇所の駆動ピン部７a/７bを有している。羽根A１は、羽根B２の動きを拡大して、羽根c３を動かすための連動部材であり、穴１aと２箇所のダボ形状１b/１cを有している。羽根B２は、絞り開口を形成するための絞り羽根で、５箇所のダボ形状２a/２b/２c/２d/２eと、１箇所の長穴２fを有している。羽根C３は、絞り開口を形成するための絞り羽根で、３箇所の長穴３a/３b/３cを有している。
【００１２】
羽根D４は、羽根E５の動きを拡大して、羽根f６を動かすための連動部材であり、穴４aと２箇所のダボ形状４b/４cを有している。羽根E５は、絞り開口を形成するための絞り羽根で、５箇所のダボ形状５a/５b/５c/５d/５eと、１箇所の長穴５fを有している。羽根F６は、絞り開口を形成するための絞り羽根で、３箇所の長穴６a/６b/６cを有している。押え板９は、各羽根を動作可能な状態で、保持するための構造部材であり、ベース板８に対して固定される。押え板９は、小判型穴９fと、丸形の開口９eと、長溝部９a/９b/９c/９dを、有している。
【００１３】
各部材の相互関係と動作を説明する。まず、羽根A１/羽根B２/羽根C３と駆動アーム７の相互動作関係を説明する。駆動アーム７は、ベース板８の小判型穴８fの中心に位置し、駆動軸P回りに回転往復動作する。ここで、駆動ピン部７aは、絞り羽根B２の長穴２fに嵌っており、絞り羽根B２のダボ形状２b/２cは、それぞれ、ベース板８の長溝部８b/８cに嵌っているので、駆動アーム７が、絞りオープン位置から絞りクローズ位置まで動くと、絞り羽根B２は、図の上下方向に、絞りオープン位置から絞りクローズ位置まで動く。
【００１４】
さらに、羽根A１の穴１aは、絞り羽根B２のダボ形状２aに嵌合しており、羽根A１の一方のダボ形状１bは、ベース板８の長溝８aに嵌っており、もう一方のダボ形状１cは、絞り羽根C３の長穴３cに嵌っているので、絞り羽根B２の動きは、羽根A１によって拡大して、絞り羽根C３に伝達される（1bと1a間長さ：1aと1c間長さの比で拡大駆動される）。よって、駆動アーム７が、絞りオープン位置から絞りクローズ位置まで動くと、絞り羽根B２と絞り羽根C３は、絞りオープン位置から絞りクローズ位置まで動く。
【００１５】
次に、羽根D４/羽根E５/羽根F６と駆動アーム７の相互動作関係を説明する。駆動アーム７は、ベース板８の小判型穴８fの中心に位置し、駆動軸P回りに回転往復動作する。ここで、駆動ピン部７bは、絞り羽根E５の長穴５fに嵌っており、絞り羽根E５のダボ形状５b/５cは、それぞれ、押え板９の長溝部９b/９cに嵌っているので、駆動アーム７が、絞りオープン位置から絞りクローズ位置まで動くと、絞り羽根E５は、図の上下方向に、絞りオープン位置から絞りクローズ位置まで動く。
【００１６】
さらに、羽根D４の穴４aは、絞り羽根E５のダボ形状５aに嵌合しており、羽根D４の一方のダボ形状４bは、押え板９の長溝９aに嵌っており、もう一方のダボ形状４cは、絞り羽根F６の長穴６cに嵌っているので、絞り羽根E５の動きは、羽根D４によって拡大して、絞り羽根F６に伝達される（4bと4a間長さ：4aと4c間長さの比で拡大駆動される）。よって、駆動アーム７が、絞りオープン位置から絞りクローズ位置まで動くと、絞り羽根E５と絞り羽根F６は、絞りオープン位置から絞りクローズ位置まで動く。
【００１７】
上述の結果として、駆動アーム７が、絞りオープン位置から絞りクローズ位置まで動くと、羽根A１と、絞り羽根B２と、絞り羽根C３と、羽根D４と、絞り羽根E５と、絞り羽根F６とは、絞りオープン位置から絞りクローズ位置まで動かされ、オープン状態[開放]⇔中間絞り状態［六角形絞り］⇔クローズ状態を実現する。
【符号の説明】
【００１８】
１  羽根A、２  羽根B、３  羽根C、４  羽根D、５  羽根E、６  羽根F、
７  駆動アーム、８  ベース板、９  押え板、１a  穴、１b/１c  ダボ形状、
２a/２b/２c/２d/２e  ダボ形状、２f  長穴、３a/３b/３c  長穴、４a  穴、
４b/４c  ダボ形状、５a/５b/５c/５d/５e  ダボ形状、５f  長穴、６a/６b/６c  長穴、
７a/７b  駆動ピン部、８f  小判型穴、８e  丸形の開口、８a/８b/８c/８d  長溝部、
９f  小判型穴、９e  丸形の開口、９a/９b/９c/９d  長溝部
【図１】
2016157035.tif 000003
【図２】
2016157035.tif 000004
【図３】
2016157035.tif 000005